(57)【要約】【課題】従来のものは、開口部が鼻部分にしかなく息を放出するには不十分だった。生ぬるい吐く息で蒸れて着用感はいいものではなかった。【解決手段】短冊状の鼻部分を覆うＡパーツ、口部分を覆うＢパーツ、顎部分を覆うＣパーツと頭部着用具とを備え、前記各パーツを上からＡパーツ、Ｂパーツ、Ｃパーツの順に重複部分をもたせて縦に下向きに並べて、前記各パーツを左右両側で縫合固定していることを特徴とするフェイスマスクになっている。つまり、フェイスマスクの中央部分が大きくフリーになっているので、鼻と口からの息はここから直接出ていくようになる。これにより、吐く息で息苦しさや蒸れがなくなり着用感はよくなった。【選択図】  図２
2014033699.tif 000002
【特許請求の範囲】
【請求項１】
短冊状の鼻部分を覆うＡパーツ、口部分を覆うＢパーツ、顎部分を覆うＣパーツと頭部着用具とを備え、
前記各パーツを上からＡパーツ、Ｂパーツ、Ｃパーツの順に重複部分をもたせて縦に下向きに並べて、
前記各パーツを左右両側で縫合固定していることを特徴とするフェイスマスク。
【請求項２】
前記頭部着用具は前期フェイスマスクの左右上端に紐通し用ループと、当該紐通し用ループに通されたサイズ調整用の紐とを備え、当該紐を頭頚に合わせて調整可能にした請求項１に記載のフェイスマスク。
【請求項３】
前記Ｃパーツは縦幅が長くネックカバーを兼ねる請求項１または２に記載のフェイスマスク。
【請求項４】
後ろ首を覆う係止具を有するＤパーツと、
前記Ｄパーツの係止具に固着される前記フェイスマスクの左右辺に設けられた係止具を備えていることを特徴とする請求項１から３のいずれかに記載のフェイスマスク。
【請求項５】
前記短冊状のＡパーツ及びＢパーツはＶ字型又はＵ字型であることを特徴とする請求項１から４のいずれかに記載のフェイスマスク。
【発明の詳細な説明】
【技術分野】
【０００１】
本発明は、顔面を覆うマスクに関する。
【背景技術】
【０００２】
従来の例えば顔面を紫外線から守るためのマスクには、鼻の部分に開口部を設けたものがあった。（登録実用新案第3147099号参照）
【先行技術文献】
【特許文献】
【０００３】
【特許文献１】登録実用新案第３１４７０９９号公報
【発明の概要】
【発明が解決しようとする課題】
【０００４】
以上に述べた従来のマスクは鼻の部分に切り込みを入れた開口部しかなく、ジョギングやテニスなどのスポーツ時は口からの呼吸が大きいので、息の出口が不十分で息苦しさは解消されていなかった。加えて、生ぬるい吐く息でマスクの中は蒸れて着用感は決して良いものとは言えなかった。
【０００５】
本発明は、このような従来の方法が有していた問題を解決しようとするものであり、鼻や口からの息を直接放出できるフェイスマスクを提供することを目的とするものである。
【課題を解決するための手段】
【０００６】
そして、本発明は上記目的を達成するために、短冊状の鼻部分を覆うＡパーツ、口部分を覆うＢパーツ、顎部分を覆うＣパーツと頭部着用具とを備え、
前記各パーツを上からＡパーツ、Ｂパーツ、Ｃパーツの順に重複部分をもたせて縦に下向きに並べて、
前記各パーツを左右両側で縫合固定していることを特徴するフェイスマスクである。
【０００７】
上記の課題解決手段による作用は次の通りである。すなわち、フェイスマスクの中央部分が大きくフリーに構成されているので、着用すると、Ａパーツの上辺は目の下で、Ｂパーツの上辺は鼻の下で、Ｃパーツの上辺は口の下で顔面に沿うようになる。そして、鼻の部分のＡパーツの下辺とＢパーツの上辺間、口の部分のＢパーツの下辺とＣパーツの上辺間には大きな隙間空間ができるようになる。その結果、鼻と口からの息はここから直接出ていくようになる。
【発明の効果】
【０００８】
上述したように本発明によれば、鼻だけでなく口からも息が直接外に出るようになっていて、着用時の息苦しさや蒸れによる不快感がなくなった。
マスクをつけると眼鏡が曇るのを嫌う人がいるが、息がこもらないのでこの心配はなくなった。
【図面の簡単な説明】
【０００９】
【図１】本発明に係るフェイスマスクの分解図
【図２】本発明に係る下から見たフェイスマスクの組み立て図
【図３】図２のフェイスマスクの装着時の側面図
【図４】図２のフェイスマスクの装着時の平面図
【図５】耳まで覆うようにＤパーツを使用した時の側面図
【図６】首筋を覆うようにＤパーツを使用した時の側面図
【図７】首筋を覆うようにＤパーツを使用した時の後頭部平面図
【発明を実施するための形態】
【００１０】
以下、本発明の実施の形態を図１〜図７に基づいて説明する。
【００１１】
図１〜図７は本発明の実施形態に係り、図１はフェイスマスクの分解図、図２は図１を組み立てたものを下からみた図、図３はフェイスマスク装着時の側面図、図４はフェイスマスク装着時の平面図、図5は耳まで覆うようにＤパーツを使用した時の側面図、図６は首筋を覆うようにＤパーツを使用した時の側面図、図７は首筋を覆うようにＤパーツを使用した時の後頭部平面図である。
【００１２】
図１〜図７においては、１はＡパーツ、２はＢパーツ、３はＣパーツ、４と５は着用の紐通し用ループ、６は紐、７と８は固着の縫合線、9と10は重複部分、１１はＤパーツ、12と13は係止具、１４から１７はＤパーツ固着用係止具である。
なお、Ａパーツ、Ｂパーツ、Ｃパーツを組み立てて一体となったものが図２に示すフェイスマスク１８である。
【実施形態１】
【００１３】
以下、上記実施形態の作用効果を図２に基づいて説明する。
【００１４】
Ａパーツ１は目の下から鼻の先までを覆うもので、鼻の出っ張りに沿うように下向きにＶ字型になった短冊状のものである。上辺が約両耳間の距離、縦幅が目の下から鼻の先までの距離にＢパーツ２と重複する分を足した距離となっている。
Ｂパーツ２は鼻の下から口の下までを覆うもので、口の出っ張りに沿うように下向きにＶ字型になった短冊状のものである。上辺が約両耳間の距離、縦幅が鼻の下から口の下までの距離にＣパーツ３と重複する分を足した距離となっている。
Ｃパーツ３は口の下から顎の下までを覆うもので、顎の出っ張りに沿うように下向きにＶ字型になった短冊状のものである。上辺が約両耳間の距離、縦幅が口の下から下顎まで十分に覆う距離になっている。
【００１５】
上記3枚を重複部分持たせて縦に下向きに並べて組み立てて、各パーツの中央部分をフリーにして左右両側で縫合固定して一体となったものがフェイスマスク１８である。つまり、鼻や口を覆う各パーツの出っ張りのある部分が固定されておらず、重複部分をもってフリーな状態となっているのである。着用時、鼻や口の出っ張り部分に大きな隙間空間ができる構造となっている。これにより、息を直接外に放出できる。
【００１６】
着用方法は以下の通りである。
フェイスマスク１８の左右辺の上端に紐通し用のループ４，５を設け、紐６の一端をループ４からループ５へと順次通し、そこから往復させてループ４にもどって他端と結ぶ。ループ４とループ５の間で環状となった紐の周長は、紐の一端と他端とを結ぶ位置で自由に変化することになる。このことを利用して頭頚に合わせて最適な位置で紐を結んでサイズを調節する。サイズ調整幅は制限ない位大きくなっている。
勿論、紐６を往復させずにその両端をそれぞれ左右のループ４とループ５に結び付けてサイズを調整することもできる。また、ループ４とループ５にそれぞれ別の紐を結び付け2本の紐でサイズを調整することもできる。
【００１７】
そして、図3で示すようにフェイスマスク１０のＢパーツ２上辺を鼻の下、Ｃパーツ３上辺を口の下になるように顔面に当て、紐６を耳にかけ後頭部で頭に固定して着用する。
【００１８】
従来の耳にかける着用方法では、頭の大きさによって耳の位置もかわってくるのでフェイスマスクをピッタリフィットさせるのは難しかった。しかし、この方法によって頭の大きさに左右されずに着用できるようになった。
【００１９】
紐６が伸縮紐の場合、頭頚に合わせてフィット感が良く、一度サイズ調整するとその後はマスクを頭からかぶって着用完了、セットが簡単で早い。
【００２０】
着用すると、図３から４で示すようにＡパーツ１の上辺は目の下で、Ｂパーツ２の上辺は鼻の下で、Ｃパーツ３の上辺は口の下で顔面に沿うようになる。
そして、Ａパーツ１の下辺は顔面から浮いて鼻の出っ張りに沿って鼻の下に向かって末広がりになっている。Ｂパーツ２の下辺は顔面から浮いて口の出っ張りに沿って口の下に向かって末広がりになっている。
すると、中央部分の大きくフリーとなった部分では、鼻の部分のＡパーツ１の下辺とＢパーツ２の上辺間、口の部分のＢパーツ２の下辺とＣパーツ３の上辺間には大きな隙間空間ができるようになる。
【００２１】
その結果、鼻からの息はＡパーツ１とＢパーツ２の間から直接出ていき、口からの息はＢパーツ２とＣパーツ３の間から直接出ていくようになる。
よって、息の外への出具合が悪いことによる息苦しさが解消され、生ぬるい息がマスク内にこもることによる蒸れがなくなった。着用感は抜群によくなり、着用しているのを忘れるぐらいである。
【００２２】
フリーな部分からの通風通気もあり、フェイスマスクの素材を棉等にすると汗取りにもなって爽やかな付け心地となっている。また、マスクを外さなくても口から飲食できるので取り外しの面倒も少なくなる。
【００２３】
また、この中央部分のフリーな部分は縦にも調整がきくようになっているので、鼻や口の大きさやその位置等に左右されずどんなタイプの顔にも対応できるものとなっている。
【００２４】
また、紐６はフェイスマスクに直接取り付けず別途備える方法なので、紐の取り換えは縫い付ける技術も手間もいらず簡単で誰でも出来るものである。
また、Ｃパーツ３の縦幅を長くすると顔面だけではなく前首から胸元まで覆うことができるようになる。
【実施形態２】
【００２５】
後ろ首を覆うためのＤパーツ１１を別に備えておいて、必要に応じて使用できるようにしておく。
Ｄパーツ１１の横幅は約両耳間の距離、縦幅が約耳の上から肩までの距離にし、左右上端にフェイスマスクに留めるための係止具１２，１３を設けておく。フェイスマスク左右辺にもＤパーツ１１を留めるための係止具を幾つか設けておいて、耳の上まで覆いたい時は図5のように係止具１４，１５に、後首筋だけ覆いたい時は図6のように係止具１６，１７に留めるようにする。このように必要な時だけ必要な場所を覆うことができるようになっている。
【００２６】
請求項3のように顔面だけではなく前首も覆う方法と組み合わせると首筋全体を覆うことができるようになる。
【００２７】
実施形態１または２のフェイスマスク１８はＡパーツ１、Ｂパーツ２がＶ字
型であったが、Ｕ字型でもよい。
【符号の説明】
【００２８】
１      Ａパーツ    
２      Ｂパーツ    
３      Ｃパーツ
４      着用の紐通し用ループ
５      着用の紐通し用ループ
６      紐
７      縫合固着部分
８      縫合固着部分
９      重複部分
１０    重複部分
１１    Ｄパーツ
１２    係止具
１３    係止具
１４    Ｄパーツ固着用係止具
１５    Ｄパーツ固着用係止具
１６    Ｄパーツ固着用係止具
１７    Ｄパーツ固着用係止具
１８    図２に示すフェイスマスク            
【図１】
2014033699.tif 000003
【図２】
2014033699.tif 000004
【図３】
2014033699.tif 000005
【図４】
2014033699.tif 000006
【図５】
2014033699.tif 000007
【図６】
2014033699.tif 000008
【図７】
2014033699.tif 000009
【手続補正書】
【提出日】平成24年10月4日(2012.10.4)
【手続補正１】
【補正対象書類名】特許請求の範囲
【補正対象項目名】全文
【補正方法】変更
【補正の内容】
【特許請求の範囲】
【請求項１】
短冊状の鼻部分を覆うＡパーツ、口部分を覆うＢパーツ、顎部分を覆うＣパーツと頭部着用具とを備え、
前記各パーツを上からＡパーツ、Ｂパーツ、Ｃパーツの順に重複部分をもたせて縦に下向きに並べて、
前記各パーツの中央部分をフリーにして、前記各パーツを左右両側で縫合固定していることを特徴とするフェイスマスク。
【請求項２】
前記頭部着用具は、前記フェイスマスクの左右上端に紐通し用ループと、当該紐通し用ループに通されたサイズ調整用の紐とを備え、当該紐を頭頚に合わせて調整可能にした請求項１に記載のフェイスマスク。
【請求項３】
前記Ｃパーツは縦幅が長くネックカバーを兼ねる請求項１または２に記載のフェイスマスク。
【請求項４】
後ろ首を覆う係止具を有するＤパーツと、
前記Ｄパーツの係止具に固着される前記フェイスマスクの左右辺に設けられた係止具を備えていることを特徴とする請求項１から３のいずれかに記載のフェイスマスク。
【請求項５】
前記短冊状のＡパーツ及びＢパーツは、Ｖ字型又はＵ字型であることを特徴とする請求項１から４のいずれかに記載のフェイスマスク。